(57)【要約】【課題】スペクトルアグリゲーションを利用して効率的に広帯域伝送を行うこと。【解決手段】周波数的に不連続、且つ、異なる周波数帯に存在する周波数スペクトルを集めて広帯域伝送を行うスペクトルアグリゲーションを利用して情報伝送を行う場合において、情報伝送に利用される異なる周波数スペクトルのうち、パスロスが小さいアンカースペクトルに通信品質が要求される第１の情報を割り当てて移動局装置ＵＥに伝送する一方、パスロスが大きいペイロードスペクトルに第１の情報より通信品質が要求されない第２の情報を割り当てて移動局装置ＵＥに伝送することを特徴とする。【選択図】図２
2011176687.tif 000002
【特許請求の範囲】
【請求項１】
周波数的に不連続、且つ、異なる周波数帯に存在する周波数スペクトルを集めて広帯域伝送を行うスペクトルアグリゲーションを利用した情報伝送方法であって、
情報伝送に利用される異なる周波数スペクトルのうち、パスロスが小さい周波数スペクトルに通信品質が要求される第１の情報を割り当てる一方、パスロスが大きい周波数スペクトルに前記第１の情報より通信品質が要求されない第２の情報を割り当てるステップと、前記第１の情報を前記パスロスが小さい周波数スペクトルで伝送する一方、前記第２の情報を前記パスロスが大きい周波数スペクトルで伝送するステップとを具備することを特徴とする情報伝送方法。
【請求項２】
前記第１の情報として相対的に受信品質の要求が高い情報を前記パスロスが小さい周波数スペクトルに割り当てる一方、前記第２の情報として相対的に受信品質要求が低い情報を前記パスロスが大きい周波数スペクトルに割り当てることを特徴とする請求項１記載の情報伝送方法。
【請求項３】
前記第１の情報として制御情報を前記パスロスが小さい周波数スペクトルに割り当てる一方、前記第２の情報としてユーザデータを前記パスロスが大きい周波数スペクトルに割り当てることを特徴とする請求項２記載の情報伝送方法。
【請求項４】
前記第１の情報として相対的にサービス品質の要求が高い情報を前記パスロスが小さい周波数スペクトルに割り当てる一方、前記第２の情報として相対的にサービス品質要求が低い情報を前記パスロスが大きい周波数スペクトルに割り当てることを特徴とする請求項１記載の情報伝送方法。
【請求項５】
前記第１の情報として、遅延要求条件の厳しい実時間型トラヒックデータを前記パスロスが小さい周波数スペクトルに割り当てる一方、前記第２の情報として、遅延の要求条件の緩やかな非実時間型トラヒックデータを前記パスロスが大きい周波数スペクトルに割り当てることを特徴とする請求項４記載の情報伝送方法。
【請求項６】
前記第１の情報の代わりに通信状態が悪い第３の情報を前記パスロスが小さい周波数スペクトルに割り当てる一方、前記第２の情報の代わりに前記第３の情報よりも通信状態が良好な第４の情報を前記パスロスが大きい周波数スペクトルに割り当て、前記第３の情報を前記パスロスが小さい周波数スペクトルで伝送する一方、前記第４の情報を前記パスロスが大きい周波数スペクトルで伝送することを特徴とする請求項１記載の情報伝送方法。
【請求項７】
前記第３の情報として、相対的に基地局装置と移動局装置との間のパスロスが大きい情報を前記パスロスが小さい周波数スペクトルに割り当てる一方、前記第４の情報として、相対的に基地局装置と移動局装置との間のパスロスが小さい情報を前記パスロスが大きい周波数スペクトルに割り当てることを特徴とする請求項６記載の情報伝送方法。
【請求項８】
前記第３の情報として、基地局装置が管理するセルの端部周辺に位置する移動局装置に対するユーザデータを前記パスロスが小さい周波数スペクトルに割り当てる一方、前記第４の情報として、基地局装置が管理するセルの中央周辺に位置する移動局装置に対するユーザデータを前記パスロスが大きい周波数スペクトルに割り当てることを特徴とする請求項７記載の情報伝送方法。
【請求項９】
周波数的に不連続、且つ、異なる周波数帯に存在する周波数スペクトルを集めて広帯域伝送を行うスペクトルアグリゲーションを利用して情報伝送を行う基地局装置であって、
情報伝送に利用される異なる周波数スペクトルのうち、パスロスが小さい周波数スペクトルに通信品質が要求される第１の情報を割り当てる一方、パスロスが大きい周波数スペクトルに前記第１の情報より通信品質が要求されない第２の情報を割り当てる割り当て手段と、前記第１の情報を前記パスロスが小さい周波数スペクトルで伝送する第１の伝送手段と、前記第２の情報を前記パスロスが大きい周波数スペクトルで伝送する第２の伝送手段とを具備することを特徴とする基地局装置。
【請求項１０】
周波数的に不連続、且つ、異なる周波数帯に存在する周波数スペクトルを集めて広帯域伝送を行うスペクトルアグリゲーションを利用して情報伝送を受ける移動局装置であって、
情報伝送に利用される異なる周波数スペクトルのうち、パスロスが小さい周波数スペクトルに割り当てられる、通信品質が要求される第１の情報を受信する第１の受信手段と、パスロスが大きい周波数スペクトルに割り当てられる、前記第１の情報より通信品質が要求されない第２の情報を受信する第２の受信手段と、前記第１の受信手段で受信した前記第１の情報を復調する第１の復調手段と、前記第２の受信手段で受信した前記第２の情報を復調する第２の復調手段とを具備することを特徴とする移動局装置。
【発明の詳細な説明】
【技術分野】
【０００１】
本発明は、情報伝送方法、基地局装置及び移動局装置に関し、特に、スペクトルアグリゲーションを利用した情報伝送方法、基地局装置及び移動局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている（例えば、非特許文献１参照）。
【０００３】
第３世代のシステムは、概して５ＭＨｚの固定帯域を用いて、下り回線で最大２Ｍｂｐｓ程度の伝送レートを実現できる。一方、ＬＴＥ方式のシステム（ＬＴＥシステム）においては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００４】
例えば、ＬＴＥ−Ａ方式のシステム（ＬＴＥ−Ａシステム）においては、ＬＴＥ仕様の最大システム帯域である２０ＭＨｚを、１００ＭＨｚ程度まで拡張することが予定されている。また、ＬＴＥ−Ａシステムのシステム帯域においては、ＬＴＥシステムのシステム帯域を一単位とする少なくとも一つの基本周波数ブロックとすることが予定されている。ＬＴＥ−Ａでは、この基本周波数ブロックをコンポーネントキャリア（ＣＣ）と呼ぶ。このように複数の基本周波数ブロックを結合して広帯域化することをキャリアアグリゲーションという。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
上述したキャリアアグリゲーションにおいては、周波数的に隣接するコンポーネントキャリアを集めることで、例えば、１００ＭＨｚ程度以上の送信帯域幅を確保し、広帯域伝送を実現するものである。しかしながら、複数の通信キャリアが共通する無線リソースを利用する環境においては、１００ＭＨｚ程度以上の連続した周波数スペクトルを確保することは簡単なことではない。このため、ＬＴＥ−Ａにおいては、周波数的に不連続、且つ、異なる周波数帯に存在する周波数スペクトル（例えば、コンポーネントキャリア）を集めて広帯域の送信帯域幅を確保するスペクトルアグリゲーションもサポートしている。このスペクトルアグリゲーションの導入により、連続した周波数スペクトルが確保できない場合においても、広帯域伝送が実現可能となっている。
【０００７】
しかしながら、このスペクトルアグリゲーションにおいては、周波数的に不連続、且つ、異なる周波数帯に存在する周波数スペクトルを利用することに起因して種々の問題が指摘されている。例えば、スペクトルアグリゲーションにおいては、情報伝送に利用される周波数スペクトルによって伝搬路損失（パスロス）が異なることから、制御情報が所要の受信品質を満たす範囲が異なり、効率的にセルを配置することができないという問題がある。また、異なる周波数スペクトルの全ての制御情報を復調する必要があることから、移動局装置ＵＥにおいて、異なる周波数スペクトルに割り当てられる制御情報を受信回路でモニタリングする必要があり、電力消費が大きくなるという問題もある。このような問題を有する結果、スペクトルアグリゲーションを利用して効率的に広帯域伝送を行うことが困難となっている。
【０００８】
本発明は、このような実情に鑑みてなされたものであり、スペクトルアグリゲーションを利用して効率的に広帯域伝送を行うことができる情報伝送方法、基地局装置及び移動局装置を提供することを目的とする。
【課題を解決するための手段】
【０００９】
本発明の情報送信方法は、周波数的に不連続、且つ、異なる周波数帯に存在する周波数スペクトルを集めて広帯域伝送を行うスペクトルアグリゲーションを利用した情報伝送方法であって、情報伝送に利用される異なる周波数スペクトルのうち、パスロスが小さい周波数スペクトルに通信品質が要求される第１の情報を割り当てる一方、パスロスが大きい周波数スペクトルに前記第１の情報より通信品質が要求されない第２の情報を割り当てるステップと、前記第１の情報を前記パスロスが小さい周波数スペクトルで伝送する一方、前記第２の情報を前記パスロスが大きい周波数スペクトルで伝送するステップとを具備することを特徴とする。
【００１０】
この方法によれば、通信品質が要求される第１の情報がパスロスの小さい周波数スペクトルで伝送されることから、第１の情報を安定して移動局装置に伝送することができる。例えば、第１の情報に制御情報を含めることにより、異なる周波数スペクトル間のパスロスの相違を考慮することなく効率的にセルを配置できる等、異なる周波数スペクトル間のパスロスが異なる点に起因する種々の問題を解消できるので、スペクトルアグリゲーションを利用して効率的に広帯域伝送を行うことが可能となる。
【００１１】
本発明の基地局装置は、周波数的に不連続、且つ、異なる周波数帯に存在する周波数スペクトルを集めて広帯域伝送を行うスペクトルアグリゲーションを利用して情報伝送を行う基地局装置であって、情報伝送に利用される異なる周波数スペクトルのうち、パスロスが小さい周波数スペクトルに通信品質が要求される第１の情報を割り当てる一方、パスロスが大きい周波数スペクトルに第１の情報より通信品質が要求されない第２の情報を割り当てる割り当て手段と、前記第１の情報を前記パスロスが小さい周波数スペクトルで伝送する第１の伝送手段と、前記第２の情報を前記パスロスが大きい周波数スペクトルで伝送する第２の伝送手段とを具備することを特徴とする。
【００１２】
この構成によれば、通信品質が要求される第１の情報がパスロスの小さい周波数スペクトルで伝送されることから、第１の情報を安定して移動局装置に伝送することができる。例えば、第１の情報に制御情報を含めることにより、異なる周波数スペクトル間のパスロスの相違を考慮することなく効率的にセルを配置できる等、異なる周波数スペクトル間のパスロスが異なる点に起因する種々の問題を解消できるので、スペクトルアグリゲーションを利用して効率的に広帯域伝送を行うことが可能となる。
【００１３】
本発明の移動局装置は、周波数的に不連続、且つ、異なる周波数帯に存在する周波数スペクトルを集めて広帯域伝送を行うスペクトルアグリゲーションを利用して情報伝送を受ける移動局装置であって、情報伝送に利用される異なる周波数スペクトルのうち、パスロスが小さい周波数スペクトルに割り当てられる、通信品質が要求される第１の情報を受信する第１の受信手段と、パスロスが大きい周波数スペクトルに割り当てられる、第１の情報より通信品質が要求されない第２の情報を受信する第２の受信手段と、前記第１の受信手段で受信した前記第１の情報を復調する第１の復調手段と、前記第２の受信手段で受信した前記第２の情報を復調する第２の復調手段とを具備することを特徴とする。
【００１４】
この構成によれば、通信品質が要求される第１の情報がパスロスの小さい周波数スペクトルで伝送されることから、第１の情報を安定して基地局装置から受信することができる。例えば、第１の情報に制御情報が含まれる場合には、パスロスの小さい周波数スペクトルに割り当てられる制御情報をモニタリングする受信回路のみを駆動するだけ良い等、異なる周波数スペクトル間のパスロスが異なる点に起因する種々の問題を解消できるので、スペクトルアグリゲーションを利用して効率的に広帯域伝送を行うことが可能となる。
【発明の効果】
【００１５】
本発明によれば、通信品質が要求される第１の情報がパスロスの小さい周波数スペクトルで伝送されることから、第１の情報を安定して移動局装置に伝送することができる。例えば、第１の情報に制御情報を含めることにより、異なる周波数スペクトル間のパスロスの相違を考慮することなく効率的にセルを配置できる等、異なる周波数スペクトル間のパスロスが異なる点に起因する種々の問題を解消できるので、スペクトルアグリゲーションを利用して効率的に広帯域伝送を行うことが可能となる。
【図面の簡単な説明】
【００１６】
【図１】ＬＴＥ及びＬＴＥ-Ａシステムのシステム帯域を説明するための図である。
【図２】スペクトルアグリゲーションの概要について説明するための図である。
【図３】本発明の一実施の形態に係る移動通信システムの構成を説明するための図である。
【図４】上記実施の形態に係る基地局装置の送信部を示すブロック図である。
【図５】上記実施の形態に係る移動局装置の受信部を示すブロック図である。
【発明を実施するための形態】
【００１７】
まず、本発明に係るスペクトルアグリゲーションを利用した情報伝送方法を説明する前に、ＬＴＥ-Ａシステムのシステム帯域について説明する。図１は、ＬＴＥ及びＬＴＥ-Ａシステムのシステム帯域を説明するための図である。なお、図１においては、複数の基本周波数ブロックで構成されるＬＴＥ−Ａシステムと、一つの基本周波数ブロックで構成されるＬＴＥシステムが併存する場合の階層型帯域幅構成のシステム帯域を示している。
【００１８】
図１に示すように、ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする、少なくとも一つの基本周波数ブロック（コンポーネントキャリア（ＣＣ））で構成されている。そして、複数のコンポーネントキャリアを結合することにより広帯域化が実現されている（キャリアアグリゲーション）。
【００１９】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１において、移動局装置ＵＥ（User  Equipment）＃１は、ＬＴＥ−Ａシステム対応（ＬＴＥシステムにも対応）の移動局装置であり、１００ＭＨｚまでのシステム帯域に対応可能である。ＵＥ＃２は、ＬＴＥ−Ａシステム対応（ＬＴＥシステムにも対応）の移動局装置であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）の移動局装置であり、２０ＭＨｚ（ベース帯域）までのシステム帯域に対応可能である。
【００２０】
上述したキャリアアグリゲーションにおいては、周波数的に隣接するコンポーネントキャリアを集めることで、例えば、１００ＭＨｚ程度以上の送信帯域幅を確保し、広帯域伝送を実現するものである。しかしながら、複数の通信キャリアが共通する無線リソースを利用する環境においては、１００ＭＨｚ程度以上の連続した周波数スペクトルを確保することは簡単なことではない。特に、周波数スペクトルの利用認可が厳しい欧米等において、独立した通信キャリアが１００ＭＨｚ程度以上の連続した周波数スペクトルを確保することが困難である。
【００２１】
このため、ＬＴＥ−Ａにおいては、周波数的に不連続、且つ、異なる周波数帯に存在する周波数スペクトル（例えば、コンポーネントキャリア）を集めて広帯域の送信帯域幅を確保するスペクトルアグリゲーションもサポートしている。ここで、スペクトルアグリゲーションの概要について説明する。図２は、スペクトルアグリゲーションの概要について説明するための図である。なお、以下においては、説明の便宜上、スペクトルアグリゲーションの対象となる周波数スペクトルを含む送信帯域として、２ＧＨｚを中心周波数とし、１００ＭＨｚの送信帯域幅を有する２ＧＨｚ帯域と、３．５ＧＨｚを中心周波数とし、１００ＭＨｚの送信帯域幅を有する３．５ＧＨｚ帯域とを示している。さらに、２ＧＨｚ帯域を構成するコンポーネントキャリア（ＣＣ）をＣＣ＃１〜＃５と呼び、３．５ＧＨｚ帯域を構成するコンポーネントキャリアをＣＣ＃１１〜＃１５と呼ぶものとする。
【００２２】
図２に示すように、１００ＭＨｚの送信帯域幅を確保する場合、スペクトルアグリゲーションにおいては、例えば、２ＧＨｚ帯域を構成する周波数スペクトルであるＣＣ＃２、＃３と、３．５ＧＨｚ帯域を構成する周波数スペクトルであるＣＣ＃１３〜＃１５とを利用することができる。スペクトルアグリゲーションにおいては、このように周波数的に不連続、且つ、異なる周波数帯に存在するＣＣ＃２、＃３と、ＣＣ＃１３〜＃１５とで構成される１００ＭＨｚの送信帯域を利用して情報伝送を行うことで、連続した周波数スペクトルが確保できない場合においても、広帯域伝送が実現可能となっている。
【００２３】
しかしながら、スペクトルアグリゲーションにおいては、周波数的に不連続、且つ、異なる周波数帯に存在する周波数スペクトルを利用することに起因して種々の問題が指摘されている。例えば、スペクトルアグリゲーションにおいては、情報伝送に利用される周波数スペクトルによって伝搬路損失（パスロス）が異なることから、制御情報が所要の受信品質を満たす範囲が異なり、効率的にセルを配置することができないという問題がある。
【００２４】
図２に示す例を用いると、２ＧＨｚ帯域の周波数スペクトルを用いて情報伝送を行う場合と、３．５ＧＨｚ帯域の周波数スペクトルを用いて情報伝送を行う場合とでは、パスロスが大きく異なり、後者の方が大きくなる。一般にセルラシステムにおけるセルの配置は、制御情報（制御チャネル信号等）を所要の受信品質で通信可能な範囲（以下、適宜「制御情報通信可能範囲」という）で決定される。しかしながら、図２に示すスペクトラムアグリゲーションにおいては、３．５ＧＨｚ帯域の周波数スペクトルにおけるパスロスが２ＧＨｚ帯域の周波数スペクトルよりも大きいことから、制御情報通信可能範囲が２ＧＨｚ帯域の周波数スペクトルの制御情報通信可能範囲よりも狭くなる。このため、２ＧＨｚ帯域の周波数スペクトルに合わせてセルを配置すると、３．５ＧＨｚ帯域の周波数スペクトルにおける制御情報を復調することができない事態が生じ得る。一方、３．５ＧＨｚ帯域の周波数スペクトルに合わせてセルを配置すると、セル半径が小さくなり、基地局装置ｅＮｏｄｅＢの数が増大してコストが上昇する。スペクトラムアグリゲーションにおいては、これらの実情を考慮しなくてはならず、効率的にセルを配置することができない。
【００２５】
また、スペクトルアグリゲーションにおいては、異なる周波数スペクトルの全ての制御情報を復調する必要があることから、移動局装置ＵＥにおいて、異なる周波数スペクトルに割り当てられる制御情報を受信回路でモニタリングする必要があり、この受信回路の駆動に伴って電力消費が大きくなるという問題もある。図２に示す例を用いると、移動局装置ＵＥにおいては、２ＧＨｚ帯域の周波数スペクトルに割り当てられる制御情報と、３．５ＧＨｚ帯域の周波数スペクトルに割り当てられる制御情報とを常にモニタリングし、検出時に復調を行うという処理が必要となることから、このような受信回路の駆動に伴って電力消費が大きくなる。
【００２６】
これらの問題点は、スペクトルアグリゲーションにおいて、情報伝送に利用される異なる周波数スペクトルのパスロスが異なる点に起因する。すなわち、異なる周波数スペクトルのパスロスが異なることから、制御情報通信可能範囲に広狭が生じ、効率的にセルを配置することができない事態や、異なる周波数スペクトルにおける制御情報のモニタリングに要する受信回路の消費電力が増大する事態が発生すると考えられる。本発明者は、スペクトルアグリゲーションを利用して広帯域伝送を行う場合における種々の問題が、情報伝送に利用される異なる周波数スペクトルのパスロスが異なる点に起因する点に着目し、本発明に至ったものである。
【００２７】
このような観点から、本発明に係る情報伝送方法においては、スペクトルアグリゲーションにおいて、情報伝送に利用される異なる周波数スペクトルのうち、パスロスが小さい周波数スペクトルに通信品質が要求される第１の情報を割り当てる一方、パスロスが大きい周波数スペクトルに第１の情報より通信品質が要求されない第２の情報を割り当てるようにしたものである。これにより、例えば、制御情報などの高い通信品質（受信品質）が要求される第１の情報がパスロスの小さい周波数スペクトルに限定して伝送されることから、移動局装置ＵＥでこの第１の情報を活用することで、異なる周波数スペクトル間のパスロスが異なる点に起因する種々の問題を解消できるので、スペクトルアグリゲーションを利用して効率的に広帯域伝送を行うことが可能となる。
【００２８】
以下においては、説明の便宜上、パスロスの小さい相対的に低い周波数スペクトルを「アンカースペクトル」と呼び、パスロスの大きい相対的に高い周波数スペクトルを「ペイロードスペクトル」と呼ぶものとする。図２に示す例においては、２ＧＨｚ帯域に含まれるＣＣ＃２、＃３で構成される周波数スペクトルがアンカースペクトルを構成し、３．５ＧＨｚ帯域に含まれるＣＣ＃１３〜＃１５で構成される周波数スペクトルがペイロードスペクトルを構成する。これらのアンカースペクトル及びペイロードスペクトルは、ＬＴＥシステムのシステム帯域を構成するコンポーネントキャリアで構成しても良いし、コンポーネントキャリア内の一部の周波数スペクトルで構成しても良い。また、アンカースペクトル及びペイロードスペクトルは、それぞれ単一の周波数スペクトルで構成しても良いし、複数の周波数スペクトルで構成しても良い。
【００２９】
本発明の第１の態様に係る情報伝送方法においては、伝送される情報に要求される受信品質に応じて割り当てる周波数スペクトル（アンカースペクトル、ペイロードスペクトル）を選択するものである。具体的には、アンカースペクトルに第１の情報として、相対的に受信品質の要求が高い情報を割り当てる一方、ペイロードスペクトルに第２の情報として、相対的に受信品質の要求が低い情報を割り当てる。
【００３０】
第１の態様に係る情報伝送方法においては、例えば、伝送対象とされる情報の種別に応じて割り当てられる周波数スペクトルが選択される。例えば、アンカースペクトルに割り当てられる第１の情報には、ユーザデータの通信制御に必要となる制御情報が含まれる。一方、ペイロードスペクトルに割り当てられる情報には、ユーザデータ（共有チャネル信号（ＰＤＳＣＨ：Physical  Downlink  Shared  Channel））が含まれる。
【００３１】
なお、アンカースペクトルに割り当てられる制御情報には、例えば、システム固有又はセル固有の制御情報を送信する報知チャネル信号（ＢＣＨ：Broadcast  Channel）、ページングのためのページングチャネル信号、セルサーチのための同期信号（ＳＳ：Synchronization  Signals）、下りリンク用のＬａｙｅｒ１（Ｌ１）／Ｌａｙｅｒ２（Ｌ２）制御情報（ＤＣＩ：Downlink  Control  Information）及び上りリンク用の制御情報が含まれる。ここで、ＤＣＩには、リソースブロック（ＲＢ：Resource  Block）割り当て情報、変調方式、トランスポートブロック（ＴＢ：Transport  Block）サイズ、ＨＡＲＱ（Hybrid  ARQ）関連情報、ＭＩＭＯ（Multiple  Input  Multiple  Output）伝送関連情報が含まれる。また、上りリンク用の制御情報には、ＨＡＲＱのＡＣＫ（Acknowledgement）／ＮＡＣＫ（Negative-Acknowledgement）情報が含まれる。
【００３２】
第１の態様に係る情報伝送方法によれば、制御情報などの受信品質の要求が高い情報がアンカースペクトルで伝送されることから、受信品質の要求が高い情報を安定して移動局装置ＵＥに伝送することができるので、重要性が高い情報を高精度に移動局装置ＵＥに伝えることが可能となる。
【００３３】
特に、受信品質の要求が高い情報として制御情報が伝送される場合には、制御情報がアンカースペクトルのみで伝送されることから、情報伝送に利用される異なる周波数スペクトルのパスロスの相違を考慮することなく、アンカースペクトルの制御情報通信可能範囲に合わせてセルを配置することができるので、効率的にセルを配置することが可能となる。
【００３４】
また、第１の態様に係る情報伝送方法において、受信品質の要求が高い情報として制御情報が伝送される場合には、制御情報がアンカースペクトルのみで伝送されることから、アンカースペクトルに割り当てられる制御情報をモニタリングする受信回路のみを駆動すれば済むので、アンカースペクトル及びペイロードスペクトルの双方に割り当てられる制御情報をモニタリングする場合に比べて電力消費を低減することが可能となる。
【００３５】
特に、第１の態様に係る情報伝送方法においては、移動局装置ＵＥにおけるハンドオーバー処理をアンカースペクトルで送信される参照信号（パイロット信号）の受信品質測定により行うこともできる。このようにアンカースペクトルで送信される参照信号の受信品質測定によりハンドオーバー処理を行う場合には、待ち受け時における周辺セルサーチに要する消費電力を低減することが可能となる。
【００３６】
さらに、第１の態様に係る情報伝送方法を適用する場合、アンカースペクトルを世界共通の周波数スペクトルに設定しておくことにより、ローミング処理も柔軟に対応することが可能となる。この場合には、ペイロードスペクトルを地域又は国固有の周波数スペクトルに設定する場合においても、アンカースペクトルの制御情報を復調することにより、ペイロードスペクトルの情報を取得することができるので、ローミング処理を柔軟に実現することが可能となる。
【００３７】
なお、以上の説明においては、アンカースペクトルで制御情報のみを伝送する場合について説明しているが、アンカースペクトルで伝送する対象は、これに限定されるものではない。例えば、ユーザデータの一部をアンカースペクトルで伝送するようにしても良い。すなわち、アンカースペクトルで伝送される情報に制御情報が含まれていれば、制御情報以外の情報を伝送するようにしても良い。この場合には、アンカースペクトルもユーザデータの一部の伝送に利用することができるので、スペクトルアグリゲーションを利用してより効率的に広帯域伝送を行うことが可能となる。
【００３８】
本発明の第２の態様に係る情報伝送方法においては、伝送される情報に要求されるサービス品質（ＱｏＳ：Quality  of  Service）に応じて割り当てる周波数スペクトル（アンカースペクトル、ペイロードスペクトル）を選択するものである。具体的には、アンカースペクトルに第１の情報として、相対的にＱｏＳの要求が高いユーザデータ（共有チャネル信号（ＰＤＳＣＨ））を割り当てる一方、ペイロードスペクトルに第２の情報として、相対的にＱｏＳの要求が低いユーザデータ（共有チャネル信号（ＰＤＳＣＨ））を割り当てる。
【００３９】
第２の態様に係る情報伝送方法においては、例えば、伝送対象とされるユーザデータの遅延要求条件の程度に応じて割り当てる周波数スペクトルが選択される。すなわち、アンカースペクトルに割り当てられるユーザデータには、音声データ（Ｖｏｉｃｅデータ）やストリーミングデータなどの遅延要求条件の厳しい実時間（ＲＴ：Real  Time）型トラヒックデータが含まれる。一方、ペイロードスペクトルに割り当てられるユーザデータには、移動局装置ＵＥで表示されるウェブサイトにおけるダウンロードデータなどの遅延の要求条件の緩やかな非実時間（ＮＲＴ：Non-Real  Time）型トラヒックデータが含まれる。
【００４０】
なお、第２の態様に係る情報伝送方法において、周波数スペクトルを選択する際に判断される基準は、伝送対象とされるユーザデータの遅延要求条件の程度に限定されるものではない。
【００４１】
第２の態様に係る情報伝送方法によれば、ＲＴ型トラヒックデータなどのＱｏＳの要求が高いユーザデータがアンカースペクトルで伝送されることから、ＱｏＳの要求が高いユーザデータを安定して移動局装置ＵＥに伝送することができるので、伝送対象とされるユーザデータのＱｏＳを向上することが可能となる。特に、ＲＴ型トラヒックデータが伝送対象となるユーザデータである場合には、トラヒックデータの欠落等を発生し難くすることができるので、精度良くＲＴ型トラヒックデータを伝送することが可能となる。
【００４２】
なお、ＮＲＴ型トラヒックデータなどのＱｏＳの要求が低いユーザデータがペイロードスペクトルで伝送されるが、例えば、ＨＡＲＱによる再送制御を用いた品質補償を行う等の対応策を採用することにより、パスロスが大きいペイロードスペクトルを利用して伝送される場合においても、ユーザデータが適切に受信できない事態は最小限に抑制することが可能である。
【００４３】
本発明の第３の態様に係る情報伝送方法においては、基地局装置ｅＮｏｄｅＢと移動局装置ＵＥとの間の通信状態に応じて割り当てる周波数スペクトル（アンカースペクトル、ペイロードスペクトル）を選択するものである。例えば、第３の態様に係る情報伝送方法においては、通信状態が悪い第３の情報をアンカースペクトルに割り当てる一方、第３の情報よりも通信状態が良好な第４の情報をペイロードスペクトルに割り当てる。具体的には、アンカースペクトルに第３の情報として、相対的に基地局装置ｅＮｏｄｅＢとの間のパスロスが大きい移動局装置ＵＥに対するユーザデータ（共有チャネル信号（ＰＤＳＣＨ））を割り当てる一方、ペイロードスペクトルに第４の情報として、相対的に基地局装置ｅＮｏｄｅＢとの間のパスロスが小さい移動局装置ＵＥに対するユーザデータを割り当てる。
【００４４】
第３の態様に係る情報伝送方法においては、例えば、基地局装置ｅＮｏｄｅＢが管理するセル内における移動局装置ＵＥの位置に応じて割り当てる周波数スペクトルが選択される。すなわち、アンカースペクトルに割り当てられるユーザデータには、基地局装置ｅＮｏｄｅＢが管理するセルの端部周辺に位置する移動局装置ＵＥに対するユーザデータが含まれる。一方、ペイロードスペクトルに割り当てられるユーザデータには、基地局装置ｅＮｏｄｅＢが管理するセルの中央周辺に位置する移動局装置ＵＥに対するユーザデータが含まれる。
【００４５】
なお、第３の態様に係る情報伝送方法において、周波数スペクトルを選択する際に判断される基準は、セル内における移動局装置ＵＥの位置に限定されるものではない。
【００４６】
第３の態様に係る情報伝送方法によれば、通信状態が悪い第３の情報をアンカースペクトルに割り当てる一方、第３の情報よりも通信状態が良好な第４の情報をペイロードスペクトルに割り当てることから、例えば、通信状態の悪い移動局装置ＵＥに対するユーザデータをアンカースペクトルで伝送できるので、通信状態の悪い移動局装置ＵＥに対する情報伝送を、受信品質を最大限に確保しながら行うことが可能となる。
【００４７】
特に、第３の態様に係る情報伝送方法においては、基地局装置ｅＮｏｄｅＢ間のパスロスが大きい移動局装置ＵＥに対するユーザデータがアンカースペクトルで伝送されることから、パスロスが大きい移動局装置ＵＥに対するユーザデータを安定して伝送することができるので、当該ユーザデータの受信品質を最大限に確保しながら情報伝送を行うことが可能となる。特に、セルの端部周辺に位置する移動局装置ＵＥに対するユーザデータが伝送対象である場合には、当該移動局装置ＵＥにおけるスループット特性を向上することができるので、システム全体のスループット特性を向上することが可能となる。
【００４８】
なお、基地局装置ｅＮｏｄｅＢ間のパスロスが大きい移動局装置ＵＥに対するユーザデータがペイロードスペクトルで伝送されるが、第２の態様に係る情報伝送方法と同様に、例えば、ＨＡＲＱによる再送制御を用いた品質補償を行う等の対応策を採用することにより、パスロスが大きいペイロードスペクトルを利用して伝送される場合においても、ユーザデータが適切に受信できない事態は最小限に抑制することが可能である。
【００４９】
以下、本発明の実施の形態について、添付図面を参照して詳細に説明する。ここでは、ＬＴＥ−Ａシステムに対応する基地局装置及び移動局装置を用いる場合について説明する。
【００５０】
図３を参照しながら、本発明の一実施の形態に係る移動局装置（ＵＥ）１０及び基地局装置（ｅＮｏｄｅＢ）２０を有する移動通信システム１について説明する。図３は、本発明の一実施の形態に係る移動局装置１０及び基地局装置２０を有する移動通信システム１の構成を説明するための図である。なお、図３に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００５１】
図３に示すように、移動通信システム１は、基地局装置２０と、この基地局装置２０と通信する複数の移動局装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動局装置１０は、セル５０において基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００５２】
各移動局装置（１０１、１０２、１０３、・・・１０ｎ）は、同一の構成、機能、状態を有するので、以下においては、特段の断りがない限り移動局装置１０として説明を進める。また、説明の便宜上、基地局装置２０と無線通信するのは移動局装置１０であるものとして説明するが、より一般的には移動局装置も固定端末装置も含むユーザ装置（ＵＥ：User  Equipment）でよい。
【００５３】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５４】
ここで、ＬＴＥシステムにおける通信チャネルについて説明する。下りリンクについては、各移動局装置１０で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、基地局装置２０で移動局装置１０に割り当てたコンポーネントキャリアＣＣやスケジューリング情報は、Ｌ１／Ｌ２制御チャネルにより移動局装置１０に通知される。
【００５５】
上りリンクについては、各移動局装置１０で共有して使用されるＰＵＳＣＨ（Physical  Uplink  Shared  Channel）と、上りリンクの制御チャネルであるＰＵＣＣＨ（Physical  Uplink  Control  Channel）とが用いられる。このＰＵＳＣＨにより、ユーザデータが伝送される。また、ＰＵＣＣＨにより、下りリンクの無線品質情報（ＣＱＩ:Channel  Quality  Indicator）等が伝送される。
【００５６】
次に、図４を参照して本実施の形態に係る基地局装置２０の送信部の構成について説明する。図４は、本実施の形態に係る基地局装置２０の送信部の構成を示すブロック図である。なお、図４に示す基地局装置２０においては、説明の便宜上、本発明に係る情報伝送方法に関連する構成のみを示しているが、受信部を含む通常の基地局装置が備える構成は備えているものとする。
【００５７】
なお、図４に示す基地局装置２０においては、上述した第１、第２の態様に係る情報伝送方法が併せて適用される場合について示している。すなわち、基地局装置２０においては、伝送される情報に要求される受信品質に応じて割り当てる周波数スペクトル（アンカースペクトル、ペイロードスペクトル）が選択されると共に、伝送される情報に要求されるＱｏＳに応じて割り当てる周波数スペクトルが選択される場合について示している。前者においては、第１の情報が制御情報であり、第２の情報がユーザデータである場合について示している。後者においては、第１の情報が音声データであるＶｏｉｃｅデータであり、第２の情報がダウンロードデータ等の非Ｖｏｉｃｅデータである場合について示している。図４においては、移動局装置ＵＥ＃１〜＃Ｍに対するＶｏｉｃｅデータを「Ｖｏｉｃｅデータ＃１〜＃Ｍ」と示し、移動局装置ＵＥ＃１〜＃Ｎに対する非Ｖｏｉｃｅデータを「非Ｖｏｉｃｅデータ＃１〜＃Ｎ」と示している。
【００５８】
図４に示す基地局装置２０の送信部において、スケジューリング対象となるユーザデータ（以下、「スケジューリング対象データ」という）は、不図示の上位局装置３０からＱｏＳスケジューラ２０１に出力される。ここで、スケジューリング対象データには、Ｖｏｉｃｅデータ及び非Ｖｏｉｃｅデータが含まれているものとする。ＱｏＳスケジューラ２０１は、割り当て手段を構成するものであり、入力されたユーザデータに要求されるＱｏＳに基づいてスケジューリングを行う（無線リソースの割り当て）。この場合、ＱｏＳスケジューラ２０１は、Ｖｏｉｃｅデータをアンカースペクトルに対応する無線リソースに優先的に割り当て、非Ｖｏｉｃｅデータをペイロードスペクトルに対応する無線リソースに割り当てるスケジューリング情報を生成する。ここで、生成されたスケジューリング情報は、後述する共有データチャネル信号生成部２０３のサブキャリアマッピング部２３２に出力される。
【００５９】
また、スケジューリング対象データの伝送に必要となる制御情報を含む個別制御チャネル信号（ＰＤＣＣＨ）は、個別制御チャネル信号生成部２０２に出力され、スケジューリング対象データに含まれるユーザデータ（Ｖｏｉｃｅデータ、非Ｖｏｉｃｅデータ）を含む共有データチャネル信号（ＰＤＳＣＨ）は、共有データチャネル信号生成部２０３に出力される。個別制御チャネル信号生成部２０２は、各移動局装置ＵＥに対する制御チャネル信号（ＰＤＣＣＨ）を生成する部分であり、共有データチャネル信号生成部２０３は、ＰＤＳＣＨに対応する無線リソースを共有して送信される共有データチャネル信号を生成する部分である。
【００６０】
個別制御チャネル信号生成部２０２において、Ｖｏｉｃｅデータ＃１に関する制御チャネル信号は、チャネル符号化部２１１に入力される。チャネル符号化部２１１でチャネル符号化された後、データ変調部２２１に出力される。そして、データ変調部２２１にてデータ変調された後、サブキャリアマッピング部２３１に出力される。同様に、Ｖｏｉｃｅデータ＃Ｍに関する制御チャネル信号は、チャネル符号化部２１２に入力される。チャネル符号化部２１２でチャネル符号化された後、データ変調部２２２に出力される。そして、データ変調部２２２にてデータ変調された後、サブキャリアマッピング部２３１に出力される。不図示のＶｏｉｃｅデータ＃２〜＃Ｍ−１に関する制御チャネル信号についても同様である。
【００６１】
また、個別制御チャネル信号生成部２０２において、非Ｖｏｉｃｅデータ＃１に関する制御チャネル信号は、チャネル符号化部２１３に入力される。チャネル符号化部２１３でチャネル符号化された後、データ変調部２２３に出力される。そして、データ変調部２２３にてデータ変調された後、サブキャリアマッピング部２３１に出力される。非Ｖｏｉｃｅデータ＃Ｎに関する制御チャネル信号は、チャネル符号化部２１４に入力される。チャネル符号化部２１４でチャネル符号化された後、データ変調部２２４に出力される。そして、データ変調部２２４にてデータ変調された後、サブキャリアマッピング部２３１に出力される。不図示の非Ｖｏｉｃｅデータ＃２〜＃Ｎ−１に関する制御チャネル信号についても同様である。
【００６２】
サブキャリアマッピング部２３１においては、データ変調部２２１、２２２等から入力されたＶｏｉｃｅデータ＃１〜＃Ｍに関する制御チャネル信号と、データ変調部２２３、２２４等から入力された非Ｖｏｉｃｅデータ＃１〜＃Ｎに関する制御チャネル信号とをサブキャリアにマッピングする。この場合、これらのＶｏｉｃｅデータ＃１〜＃Ｍに関する制御チャネル信号及び非Ｖｏｉｃｅデータ＃１〜＃Ｎに関する制御チャネル信号は、アンカースペクトルにマッピングされ、後述する各物理チャネル多重部２０５に出力される。
【００６３】
共有データチャネル信号生成部２０３において、Ｖｏｉｃｅデータ＃１は、チャネル符号化部２１５に入力される。チャネル符号化部２１５でチャネル符号化された後、データ変調部２２５に出力される。そして、データ変調部２２５にてデータ変調された後、サブキャリアマッピング部２３２に出力される。同様に、Ｖｏｉｃｅデータ＃Ｍは、チャネル符号化部２１６に入力される。チャネル符号化部２１６でチャネル符号化された後、データ変調部２２６に出力される。そして、データ変調部２２６にてデータ変調された後、サブキャリアマッピング部２３２に出力される。不図示のＶｏｉｃｅデータ＃２〜＃Ｍ−１についても同様である。
【００６４】
また、共有データチャネル信号生成部２０３において、非Ｖｏｉｃｅデータ＃１は、チャネル符号化部２１７に入力される。チャネル符号化部２１７でチャネル符号化された後、データ変調部２２７に出力される。そして、データ変調部２２７にてデータ変調された後、サブキャリアマッピング部２３２に出力される。非Ｖｏｉｃｅデータ＃Ｎは、チャネル符号化部２１８に入力される。チャネル符号化部２１８でチャネル符号化された後、データ変調部２２８に出力される。そして、データ変調部２２８にてデータ変調された後、サブキャリアマッピング部２３２に出力される。不図示の非Ｖｏｉｃｅデータ＃２〜＃Ｎ−１についても同様である。
【００６５】
サブキャリアマッピング部２３２においては、データ変調部２２１、２２２等から入力されたＶｏｉｃｅデータ＃１〜＃Ｍと、データ変調部２２３、２２４等から入力された非Ｖｏｉｃｅデータ＃１〜＃Ｎとを、ＱｏＳスケジューラ２０１から与えられたスケジューリング情報に従ってサブキャリアにマッピングする。この場合、非Ｖｏｉｃｅデータ＃１〜＃Ｎは、ペイロードスペクトルを構成するサブキャリアにマッピングされ、後述する逆高速フーリエ変換部（ＩＦＦＴ部）２０６ｂに出力される。一方、Ｖｏｉｃｅデータ＃１〜＃Ｍは、アンカースペクトルにマッピングされ、後述する各物理チャネル多重部２０５に出力される。
【００６６】
共通制御チャネル信号生成部２０４は、同期信号、報知チャネル信号及びページングチャネル信号を含む共通制御チャネル信号を生成する。生成された共通制御チャネル信号は、各物理チャネル多重部２０５に出力される。各物理チャネル多重部２０５は、サブキャリアマッピング部２３１から入力されたＶｏｉｃｅデータ＃１〜＃Ｍ及び非Ｖｏｉｃｅデータ＃１〜＃Ｎに関する制御チャネル信号、サブキャリアマッピング部２３２から入力されたＶｏｉｃｅデータ＃１〜＃Ｍ、並びに、共通制御信号生成部２０４から入力された共通制御信号を多重する。
【００６７】
各物理チャネル多重部２０５で多重された送信信号は、逆高速フーリエ変換部（ＩＦＦＴ部）２０６ａにて逆高速フーリエ変換して周波数領域の信号から時間領域の信号に変換される。そして、サイクリックプレフィクス（ＣＰ）付加部２０７ａにてＣＰが付加された後、ＲＦ送信回路２０８ａへ出力される。そして、ＲＦ送信回路２０８ａで無線周波数帯に変換する周波数変換処理が施された後、送信アンテナＴＸ＃１を介してアンカースペクトルにより該当する移動局装置ＵＥに送出される。なお、これらの各物理チャネル多重部２０５、逆高速フーリエ変換部２０６ａ、サイクリックプレフィクス付加部２０７ａ、ＲＦ送信回路２０８ａ及び送信アンテナＴＸ＃１は、第１の伝送手段を構成する。
【００６８】
一方、逆高速フーリエ変換部（ＩＦＦＴ部）２０６ｂにおいては、サブキャリアマッピング部２３２から入力された非Ｖｏｉｃｅデータ＃１〜＃Ｎを逆高速フーリエ変換して周波数領域の信号から時間領域の信号に変換する。時間領域の信号に変換された送信信号は、サイクリックプレフィクス（ＣＰ）付加部２０７ｂにてＣＰが付加された後、ＲＦ送信回路２０８ｂへ出力される。そして、ＲＦ送信回路２０８ｂで無線周波数帯に変換する周波数変換処理が施された後、送信アンテナＴＸ＃２を介してペイロードスペクトルにより該当する移動局装置ＵＥに送出される。なお、これらの逆高速フーリエ変換部２０６ｂ、サイクリックプレフィクス付加部２０７ｂ、ＲＦ送信回路２０８ｂ及び送信アンテナＴＸ＃２は、第２の伝送手段を構成する。
【００６９】
なお、図４に示す基地局装置２０の構成においては、アンカースペクトルで送信信号を送信する単一の送信アンテナＴＸ＃１と、ペイロードスペクトルで送信信号を送信する単一の送信アンテナＴＸ＃２とを備える場合について説明している。しかしながら、これらの送信アンテナＴＸの数については、これに限定されるものではなく、それぞれ複数の送信アンテナＴＸを備えるようにしても良い。
【００７０】
このように本実施の形態に係る基地局装置２０においては、制御チャネル信号がアンカースペクトルのみで伝送されることから、情報伝送に利用される異なる周波数スペクトルのパスロスの相違を考慮することなく、アンカースペクトルの制御情報通信可能範囲に合わせてセルを配置することができるので、効率的にセルを配置することが可能となる。
【００７１】
また、本実施の形態に係る基地局装置２０においては、Ｖｏｉｃｅデータがアンカースペクトルで伝送されると共に、非Ｖｏｉｃｅデータがペイロードスペクトルで伝送されることから、ＱｏＳの要求が高いＶｏｉｃｅデータを安定して移動局装置１０に伝送することができるので、ＶｏｉｃｅデータのＱｏＳを向上することが可能となる。
【００７２】
次に、図５を参照して本実施の形態に係る移動局装置１０の受信部の構成について説明する。図５は、本実施の形態に係る移動局装置１０の受信部の構成を示すブロック図である。なお、図５に示す移動局装置１０においては、説明の便宜上、本発明に係る情報伝送方法に関連する構成のみを示しているが、送信部を含む通常の移動局装置が備える構成は備えているものとする。
【００７３】
図５に示す移動局装置１０において、基地局装置２０からアンカースペクトルにて送信された送信信号は、受信アンテナＲＸ＃１により受信され、ＲＦ受信回路１０１ａに出力される。そして、ＲＦ受信回路１０１ａにて、無線周波数信号からベースバンド信号に変換する周波数変換処理が施された後、ＣＰ除去部１０２ａにより受信信号に付与されたサイクリックプレフィックスが除去され、高速フーリエ変換部（ＦＦＴ部）１０３ａに出力される。
【００７４】
受信タイミング推定部１０４ａは、ＲＦ受信回路１０１ａから出力された受信信号を取得し、例えば、この受信信号に含まれるリファレンス信号から受信タイミング（ＦＦＴ処理タイミング）を推定し、ＦＦＴ部１０３ａに通知する。ＲＦ受信回路１０１ａからの受信信号は、ＦＦＴ部１０３ａにおいて、受信タイミング推定部１０４ａから通知された受信タイミングに応じてフーリエ変換され、時系列の信号から周波数領域の信号に変換される。そして、受信信号に含まれる制御チャネル信号は、サブキャリアデマッピング部１０５ａに出力される一方、受信信号に含まれるＶｏｉｃｅデータ＃１〜＃Ｍは、サブキャリアデマッピング部１０５ｂに出力される。なお、これらの、受信アンテナＲＸ＃１、ＲＦ受信回路１０１ａ、ＣＰ除去部１０２ａ、高速フーリエ変換部１０３ａ及び受信タイミング推定部１０４ａは、第１の受信手段の一部を構成する。
【００７５】
一方、基地局装置２０からペイロードスペクトルにて送信された送信信号は、受信アンテナＲＸ＃２により受信され、ＲＦ受信回路１０１ｂに出力される。そして、ＲＦ受信回路１０１ｂにて、無線周波数信号からベースバンド信号に変換する周波数変換処理が施された後、ＣＰ除去部１０２ｂにより受信信号に付与されたサイクリックプレフィックスが除去され、高速フーリエ変換部（ＦＦＴ部）１０３ｂに出力される。
【００７６】
受信タイミング推定部１０４ｂは、ＲＦ受信回路１０１ｂから出力された受信信号を取得し、例えば、この受信信号に含まれるリファレンス信号から受信タイミング（ＦＦＴ処理タイミング）を推定し、ＦＦＴ部１０３ｂに通知する。ＲＦ受信回路１０１ｂａからの受信信号は、ＦＦＴ部１０３ｂにおいて、受信タイミング推定部１０４ｂから通知された受信タイミングに応じてフーリエ変換され、時系列の信号から周波数領域の信号に変換される。そして、受信信号に含まれる制御チャネル信号は、サブキャリアデマッピング部１０５ａに出力される一方、受信信号に含まれる非Ｖｏｉｃｅデータ＃１〜＃Ｎは、サブキャリアデマッピング部１０５ｃに出力される。なお、これらの、受信アンテナＲＸ＃２、ＲＦ受信回路１０１ｂ、ＣＰ除去部１０２ｂ、高速フーリエ変換部１０３ｂ及び受信タイミング推定部１０４ｂは、第２の受信手段の一部を構成する。
【００７７】
なお、図５に示す移動局装置１０の構成においては、アンカースペクトルで送信された送信信号を受信する単一の受信アンテナＲＸ＃１と、ペイロードスペクトルで送信された送信信号を受信する単一の受信アンテナＲＸ＃２とを備える場合について説明している。しかしながら、これらの受信アンテナＲＸの数については、これに限定されるものではなく、それぞれ複数の受信アンテナＲＸを備えるようにしても良い。
【００７８】
受信信号に含まれる制御チャネル信号は、サブキャリアデマッピング部１０５ａにてデマッピングされて時系列の信号に戻された後、共通制御チャネル信号復調部１０６及び個別制御チャネル信号復調部１０７に出力される。チャネル推定部１０８、１０９は、それぞれサブキャリアデマッピング部１０５ａから出力された受信信号に含まれるリファレンス信号からチャネル状態を推定し、推定したチャネル状態を共通制御チャネル信号復調部１０６、個別制御チャネル信号復調部１０７に通知する。
【００７９】
サブキャリアデマッピング部１０５ａから入力された制御チャネル信号に対して、共通制御チャネル信号復調部１０６にて復調処理が施された後、チャネル復号部１１０にてチャネル復号処理が施されることで共通制御チャネル信号が再生される。これにより、例えば、基地局装置２０から送信された同期信号、報知チャネル信号及びページングチャネル信号を含む共通制御信号が再生される。なお、共通制御チャネル信号復調部１０６は、第１の復調手段の一部を構成する。
【００８０】
サブキャリアデマッピング部１０５ａから入力された制御チャネル信号に対して、個別制御チャネル信号復調部１０７にて復調処理が施された後、チャネル復号部１１１にてチャネル復号処理が施されることで、本移動局装置１０（ここでは、移動局装置ＵＥ＃ｋとする）向けの個別制御チャネル信号（個別制御チャネル信号＃ｋ）が再生される。なお、再生された個別制御チャネル信号に含まれるリソース割り当て情報は、サブキャリアマッピング部１０５ｂ、１０５ｃに出力され、トランスポートブロックサイズに関する情報等は、後述するデータチャネル信号復調部１１２、１１５に出力される。なお、個別制御チャネル信号復調部１０７は、第１の復調手段の一部を構成する。
【００８１】
一方、受信信号に含まれるＶｏｉｃｅデータ＃１〜＃Ｍは、通知されたリソース割り当て情報に基づいてサブキャリアデマッピング部１０５ｂにてデマッピングされて時系列の信号に戻された後、データチャネル信号復調部１１２に出力される。チャネル推定部１１３は、サブキャリアデマッピング部１０５ｂから出力された受信信号に含まれるリファレンス信号からチャネル状態を推定し、推定したチャネル状態をデータチャネル信号復調部１１２に通知する。
【００８２】
サブキャリアデマッピング部１０５ｂから入力されたＶｏｉｃｅデータ＃１〜＃Ｍに対して、データチャネル信号復調部１１２にて復調処理が施された後、チャネル復号部１１４にてチャネル復号処理が施されることで、本移動局装置１０（ここでは、移動局装置ＵＥ＃ｋとする）向けのＶｏｉｃｅデータ（Ｖｏｉｃｅデータ＃ｋ）が再生される。なお、データチャネル信号復調部１１２は、第２の復調手段の一部を構成する。
【００８３】
また、受信信号に含まれる非Ｖｏｉｃｅデータ＃１〜＃Ｎは、通知されたリソース割り当て情報に基づいてサブキャリアデマッピング部１０５ｃにてデマッピングされて時系列の信号に戻された後、データチャネル信号復調部１１５に出力される。チャネル推定部１１６は、サブキャリアデマッピング部１０５ｃから出力された受信信号に含まれるリファレンス信号からチャネル状態を推定し、推定したチャネル状態をデータチャネル信号復調部１１５に通知する。
【００８４】
サブキャリアデマッピング部１０５ｃから入力された非Ｖｏｉｃｅデータ＃１〜＃Ｎに対して、データチャネル信号復調部１１５にて復調処理が施された後、チャネル復号部１１７にてチャネル復号処理が施されることで、本移動局装置１０（ここでは、移動局装置ＵＥ＃ｋとする）向けの非Ｖｏｉｃｅデータ（非Ｖｏｉｃｅデータ＃ｋ）が再生される。なお、データチャネル信号復調部１１５は、第２の復調手段の一部を構成する。
【００８５】
このように本実施の形態に係る移動局装置１０においては、基地局装置２０からアンカースペクトルのみで送信される制御チャネル信号を受信することから、アンカースペクトルの制御情報をモニタリングする受信回路のみを駆動すれば済むので、複数の受信回路を駆動する場合に比べて電力消費を低減することが可能となる。
【００８６】
また、本実施の形態に係る移動局装置１０においては、基地局装置２０からアンカースペクトルで送信されるＶｏｉｃｅデータを受信すると共に、ペイロードスペクトルで送信された非Ｖｏｉｃｅデータを受信することから、ＱｏＳの要求が高いＶｏｉｃｅデータを安定して基地局装置２０から受信することが可能となる。
【００８７】
以上説明したように、本実施の形態に係る情報伝送方法においては、スペクトルアグリゲーションにおいて、情報伝送に利用される異なる周波数スペクトルのうち、アンカースペクトルに通信品質が要求される第１の情報を割り当てる一方、ペイロードスペクトルに第１の情報より通信品質が要求されない第２の情報を割り当てるようにした。これにより、通信品質が要求される第１の情報がアンカースペクトルで伝送されることから、第１の情報を安定して移動局装置１０に伝送することができる。例えば、第１の情報に制御情報を含めることにより、アンカースペクトル、ペイロードスペクトル間のパスロスの相違を考慮することなく効率的にセルを配置できる等、異なる周波数スペクトル間のパスロスが異なる点に起因する種々の問題を解消できるので、スペクトルアグリゲーションを利用して効率的に広帯域伝送を行うことが可能となる。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８９】
１  移動通信システム
１０  移動局装置
１０１ａ、１０１ｂ  ＲＦ受信回路
１０２ａ、１０２ｂ  サイクリックプレフィックス（ＣＰ）除去部
１０３ａ、１０３ｂ  高速フーリエ変換部（ＦＦＴ部）
１０４ａ、１０４ｂ  受信タイミング推定部
１０５ａ〜１０５ｃ  サブキャリアデマッピング部
１０６  共通制御チャネル信号復調部
１０７  個別制御チャネル信号復調部
１０８、１０９  チャネル推定部
１１０、１１１  チャネル復号部
１１２、１１５  データチャネル信号復調部
１１３、１１６  チャネル推定部
１１４、１１７  チャネル復号部
２０  基地局装置
２０１  ＱｏＳスケジューラ
２０２  個別制御チャネル信号生成部
２０３  共有データチャネル信号生成部
２０４  共通制御チャネル信号生成部
２０５  各物理チャネル多重部
２０６ａ、２０６ｂ  逆高速フーリエ変換部（ＩＦＦＴ部）
２０７ａ、２０７ｂ  サイクリックプレフィックス（ＣＰ）付加部
２０８ａ、２０８ｂ  ＲＦ送信回路
２１１〜２１８  チャネル符号化部
２２１〜２２８  データ変調部
２３１、２３２  サブキャリアマッピング部
３０  上位局装置
４０  コアネットワーク
５０  セル
【図１】
2011176687.tif 000003
【図２】
2011176687.tif 000004
【図３】
2011176687.tif 000005
【図４】
2011176687.tif 000006
【図５】
2011176687.tif 000007